(57)【要約】【課題】多様なチャンネルを通じて提供されるＡＶ信号をストリーム形態に処理してＰＣまたはＴＶのようなクライアントに無線伝送するメディアゲートウェイを提供する。【解決手段】ゲートウエーは、放送信号の選局及び選局された放送信号をビデオ及びオーディオ信号に分離出力するための放送信号受信部１１０と；ビデオ信号を表示可能な形態のビデオ信号にデコードするためのビデオデコーダー１２０と;オーディオ信号をデジタル変換するためのＡ／Ｄ変換器１３０と;デジタル変換されたオーディオ及びビデオ信号をエンコードするためのエンコーダー１４０と;クライアント側のデータ通信部とＡＶストリームデータ及びクライアントの制御命令を送受信するためのデータ通信部１５０と;データ通信部１５０を通じて受信したハイパーテキスト転送プロトコル（ＨＴＴＰ）に従うクライアントの制御命令によって放送信号受信部内のチューナーを制御し、チューナー制御によって選局されたチャンネルの放送信号をエンコード処理して得られたＡＶストリームデータをチャンネル選局要請したクライアントの側に伝送制御するメーンプロセッサー１６０とを含む。
2008514153.tif 000002
【特許請求の範囲】
【請求項１】
放送信号の選局及び選局された放送信号をビデオ及びオーディオ信号に分離出力するための放送信号受信部と;
前記ビデオ信号を表示可能な形態のビデオ信号にデコードするためのビデオデコーダーと;
前記オーディオ信号をデジタル変換するためのＡ／Ｄ変換器と;
デジタル変換されたオーディオ及び前記ビデオ信号をエンコードするためのエンコーダーと;
クライアント側のデータ通信部とＡＶストリームデータ及びクライアントの制御命令を送受信するためのデータ通信部と;
前記データ通信部を通じて受信したハイパーテキスト転送プロトコル（ＨＴＴＰ）に従うクライアントの制御命令によって前記放送信号受信部内のチューナーを制御し、前記チューナー制御によって選局されたチャンネルの放送信号をエンコード処理して得られたＡＶストリームデータをチャンネル選局要請したクライアントの側に伝送制御するメーンプロセッサーとを含むことを特徴とするメディアゲートウェイ。
【請求項２】
前記メーンプロセッサーは、前記エンコーダーから出力されるＡＶエンコードデータをフレーム単位に区画し、それにタイムスタンプを付加してＡＶストリームデータに出力するストリームエンジン部と;
前記ハイパーテキスト転送プロトコルに従うクライアントの制御命令を解析し、前記タイムスタンプ付きＡＶストリームデータをハイパーテキストまたはＲＴＰ転送プロトコルによって処理して前記データ通信部に伝送する通信プロトコル処理部と;
前記チューナーを制御するためのチューナー制御部と;
前記エンコーダーを制御するためのエンコーダー制御部と;
前記通信プロトコル処理部で解析したクライアントの制御命令を処理するための命令処理部とを含むことを特徴とする請求項１に記載のメディアゲートウェイ。
【請求項３】
前記データ通信部は、ＬＡＮカードと無線ＬＡＮカードのうち、一つ以上を含むことを特徴とする請求項１または２に記載のメディアゲートウェイ。
【請求項４】
放送信号の選局及び選局された放送信号をビデオ及びオーディオ信号に分離出力するための放送信号受信部と;
ビデオ信号入力端と前記放送信号受信部のビデオ信号出力のうち、いずれかをスイッチング選択するためのビデオソース選択部と;
オーディオ信号入力端と前記放送信号受信部のオーディオ信号出力のうち、いずれかをスイッチング選択するためのオーディオソース選択部と;
前記ビデオソース選択部の出力を表示可能な形態のビデオ信号にデコードするためのビデオデコーダーと;
前記オーディオソース選択部の出力をデジタル変換するためのＡ／Ｄ変換器と;
デジタル変換されたオーディオ及び前記ビデオ信号をエンコードするためのエンコーダーと;
クライアント側のデータ通信部とＡＶストリームデータ及びクライアントの制御命令を送受信するためのデータ通信部と;
前記データ通信部を通じて受信したハイパーテキスト転送プロトコル（ＨＴＴＰ）に従うクライアントの制御命令によって前記ビデオ及びオーディオソース選択を制御し、その選択されたソースをエンコード処理して得られたＡＶストリームデータをハイパーテキストまたはＲＴＰ転送プロトコルによって処理して前記データ通信部を通じてクライアントの側に伝送制御するメーンプロセッサーとを含むことを特徴とするメディアゲートウェイ。
【請求項５】
前記ビデオ信号入力端にケーブル連結されたＡＶソース提供装置を遠隔調整するためのＩＲ送信部をさらに含むことを特徴とする請求項４に記載のメディアゲートウェイ。
【請求項６】
前記ビデオ信号入力端は、ＤＶＢＳ、Ｓ−Ｖｉｄｅｏ信号のうち、一つ以上を各々受信するための入力端子を含むことを特徴とする請求項４または５に記載のメディアゲートウェイ。
【請求項７】
前記メーンプロセッサーは、
前記エンコーダーから出力されるＡＶエンコードデータをフレーム単位に区画し、それにタイムスタンプを付加してＡＶストリームデータに出力するストリームエンジン部と;
前記ハイパーテキスト転送プロトコルに従うクライアントの制御命令を解析すると共に、前記タイムスタンプ付きＡＶストリームデータをハイパーテキストまたはＲＴＰ転送プロトコルによって処理して前記データ通信部に伝送する通信プロトコル処理部と;
前記放送信号受信部内のチューナーを制御するためのチューナー制御部と;
前記エンコーダーを制御するためのエンコーダー制御部と;
前記ビデオソース及びオーディオソース選択部を制御するためのソース選択制御部と;
前記通信プロトコル処理部で解析したクライアントの制御命令を処理するための命令処理部と;を含むことを特徴とする請求項４に記載のメディアゲートウェイ。
【請求項８】
前記メーンプロセッサーは;
前記エンコーダーから出力されるＡＶエンコードデータをフレーム単位に区画し、それにタイムスタンプを付加してＡＶストリームデータ出力するストリームエンジン部と;
前記ハイパーテキスト転送プロトコルに従うクライアントの制御命令を解析すると共に、前記タイムスタンプ付きＡＶストリームデータをハイパーテキストまたはＲＴＰ転送プロトコルによって処理して前記データ通信部に伝送する通信プロトコル処理部と;
前記放送信号受信部内のチューナーを制御するためのチューナー制御部と;
前記エンコーダーを制御するためのエンコーダー制御部と;
前記ＩＲ送信部を制御するためのＩＲ送信制御部と;
前記通信プロトコル処理部で解析したクライアントの制御命令を処理するための命令処理部と;を含むことを特徴とする請求項５に記載のメディアゲートウェイ。
【発明の詳細な説明】
【発明の詳細な説明】
【０００１】
〔技術分野〕
本発明はメディアゲートウェイ（Ｍｅｄｉａ  Ｇａｔｅｗａｙ）に関するもので、特に多様なチャンネルを通じて提供されるＡＶ（Ａｕｄｉｏ  ａｎｄ  Ｖｉｓｕａｌ）ソースをＡＶ出力装置のクライアントに無線伝送するメディアゲートウェイに関するものである。
【０００２】
〔背景技術〕
ＰＣの中のマルチメディアデータ（ＤｉｖＸ、ＭＰ３、ＭＰＧ等）を居間のＴＶで大画面・高画質で便利に鑑賞できる装置として、本出願人が先出願した「無線信号の遠隔中継装置」、「マルチコンテンツ再生システム」などがある。
【０００３】
このような無線信号の遠隔中継装置またはマルチコンテンツ再生システム等はＰＣの中のマルチメディアデータを離間しているＴＶまたは音響再生装置に無線伝送するので、離間した位置でＰＣ中のマルチメディアデータを再生聴取できる便利さがある。しかし、再生されるマルチメディアデータが必ずＰＣの中に格納されていなければならないという制約がある。
【０００４】
すなわち、衛星放送、ケーブル放送、一般空中波放送、ＤＶＤＰのように、多様なチャンネルを通じてＡＶ信号が提供されている現実に鑑みると、無線信号の遠隔中継装置またはマルチコンテンツ再生システムの使用は非常に制限的である。
【０００５】
したがって、衛星放送、ケーブル放送、一般空中波放送などのように、多様なチャンネルを通じて提供される放送信号またはＡＶ信号を離間しているＴＶまたはコンピュータ装置に無線または有線伝送することができる新しい形態のトランスミッターが開発されると、ユーザーは多様なチャンネルを通じて提供されるＡＶソースを家庭で場所に拘らず便利に視聴することができる。
【０００６】
〔発明の開示〕
したがって、本発明の目的は多様なチャンネルを通じて提供される各種アナログＡＶ信号をＡＶ出力装置のクライアントに伝送することができるメディアゲートウェイを提供することにある。
【０００７】
また、本発明の他の目的はＡＶソースを提供するデバイスをユーザーの命令によって遠隔制御し、発生した信号をＡＶ出力装置のクライアントに伝送することができるメディアゲートウェイを提供することにある。
【０００８】
〔課題を解決するための手段〕
前述の目的を達成するための本発明の一実施形態に係るメディアゲートウェイは、＝請求項＝特徴とする。
【０００９】
また、本発明の他の実施形態に係るメディアゲートウェイは、＝請求項＝特徴とする。
【００１０】
〔発明の効果〕
前述した構成上の特徴によれば、本発明は放送信号受信部を通じて選局された放送信号またはビデオ及びオーディオ信号入力端を通じて入力される外部のＡＶ信号をエムペグ（Ｍｏｖｉｎｇ  Ｐｉｃｔｕｒｅ  Ｅｘｐｅｒｔｓ  Ｇｒｏｕｐ，ＭＰＥＧ）エンコード処理した後、これをＬＡＮカードまたは無線ＬＡＮカードを搭載したクライアント（ＰＣ、ＴＶ）の方にストリーム伝送するために、ユーザーは多様なチャンネルを通じて提供されるメディアソースをメディア出力装置のクライアントを通じて視聴することができるようになる。
【００１１】
〔発明を実施するための最良の形態〕
以下、添付図面を参照して本発明の好ましい実施形態について詳細に説明する。本発明を説明することにおいて、関連した公知機能や構成についての具体的な説明が本発明の要旨を不明瞭にしないように、不要な説明は省略するようにする。
【００１２】
まず、図１は本発明の実施形態に係るメディアゲートウェイ１００の周辺構成を示す図面である。
【００１３】
図１に示すようにメディアゲートウェイ１００は基本的に、ユーザーにより選局されたチャンネルの放送信号を受信し、その選局されたチャンネルの放送信号をＡＶストリームデータに処理してクライアント機器（ＴＶ、ＰＣ）に無線または有線伝送する。このようなメディアゲートウェイ１００は、自体に備えた一つ以上のビデオ信号入力端子を通じて入力される複合ビデオ信号（Ｃｏｍｐｏｓｉｔｉｖｅ  Ｖｉｄｅｏ  Ｂｌａｎｋｉｎｇ  Ｓｙｎｃ，ＤＶＢＳ）またはスーパービデオ信号（Ｓ−Ｖｉｄｅｏ）をＡＶストリームデータに圧縮してクライアント機器（ＴＶ、ＰＣ）に無線（または有線）伝送することができる。
【００１４】
参考に、クライアント機器はデジタルメディアアダプター（ＤＭＡ）とデータにインターフェースが可能なＴＶ２００であり、無線ＬＡＮ通信部（またはＬＡＮカード）を内蔵するＰＣ３００でもよい。デジタルメディアアダプターはメディアゲートウェイ１００から伝送されるＡＶストリームデータを受信するための無線ＬＡＮ通信部（またはＬＡＮカード）と、受信したＡＶストリームデータをデコードするためのエムペグデコーダーを基本的に備える。エムペグデコーダーからデコードされたＡＶストリームデータはＴＶにインターフェースされる。
【００１５】
以下、図２と図３を参照して前述したメディアゲートウェイ１００の構成をより具体的に説明する。
【００１６】
まず、図２は図１の中のメディアゲートウェイ１００の詳細構成図を示す図面で、メディアゲートウェイ１００は放送信号の選局及び、選局された放送信号をビデオ及びオーディオ信号に分離出力する放送信号受信部１１０と、分離したビデオ信号を表示可能な形態のビデオ信号（色信号、または輝度及び色差信号）にデコードするビデオデコーダー１２０を含む。参考に、放送信号受信部１１０はチューナー、中間周波数処理部及びオーディオ信号分離部を含み、ビデオデコーダー１２０の前端にはＡ／Ｄ変換器が位置する。
【００１７】
一方、メディアゲートウェイ１００は放送信号受信部１１０から分離出力されるオーディオ信号をデジタル変換するためのＡ／Ｄ変換器１３０をさらに含み、Ａ／Ｄ変換器１３０でデジタル変換されたオーディオ信号とビデオ信号をエンコードするためのエムペグエンコーダー１４０及びクライアント２００、３００側のデータ通信部とＡＶストリームデータ及びクライアントの制御命令を送受信するためのデータ通信部１５０をさらに含む。データ通信部１５０は有・無線通信部を含む概念で、無線ＬＡＮカードとＬＡＮカードのうち、一つ以上を含むことが可能である。
【００１８】
さらに、メディアゲートウェイ１００はデータ通信部１５０を通じて受信したハイパーテキスト転送プロトコル（ＨＴＴＰ）に従うクライアントの制御命令によって放送信号受信部１１０内のチューナーを制御し、チューナー制御によって選局されたチャンネルの放送信号から得られたＡＶストリームデータをハイパーテキスト転送プロトコル（ＨＴＴＰ）またはＲＴＰ転送プロトコルによってデータ通信部１５０を通じてチャンネル選局を要請したクライアント２００、３００側のデータ通信部に伝送制御するメーンプロセッサー１６０をさらに含む。
【００１９】
このようなメーンプロセッサー１６０は、図２に示すように多数のブロックに階層化できる。階層化した多数のブロックのそれぞれについて説明する。
【００２０】
まず、メーンプロセッサー１６０はエムペグエンコーダー１４０から出力されるＡＶエンコードデータをフレーム単位に区画し、それにタイムスタンプを付加してＡＶストリームデータに出力するストリームエンジン部１６５を含み、ハイパーテキスト転送プロトコル（ＨＴＴＰ）に従うクライアントの制御命令を解析し、タイムスタンプ付きＡＶストリームデータをＨＴＴＰまたはＲＴＰ転送プロトコルによって処理してデータ通信部１５０に伝送する通信プロトコル処理部１６７をさらに含む。
【００２１】
そして、放送信号受信部１１０内のチューナーを制御するためのチューナー制御部１６１と、エムペグエンコーダー１４０のエンコード開始・中止及びビットレートなどを制御するためのエンコーダー制御部１６３と、通信プロトコル処理部１６７で解析したクライアントの制御命令を処理するための命令処理部１６９をさらに含む。このような命令処理部１６９はクライアントの制御命令によってチューナー制御部１６１、エンコーダー制御部１６３、ストリームエンジン部１６５などを制御するようになる。
【００２２】
以下、前述した構成を有するメディアゲートウェイ１００の動作について説明する。
【００２３】
まず、ユーザーはリモコンなどによって放送チャンネル選局のための命令をすることができる。このような放送チャンネル選局命令はＴＶに接続されたデジタルメディアアダプター（ＤＭＡ）に受信された後、クライアントの制御命令の一つとして、データ通信部の一例である無線ＬＡＮ通信部を通じてメディアゲートウェイ１００に伝送される。デジタルメディアアダプターからメディアゲートウェイ１００に伝送されるクライアントの制御命令、例えば放送チャンネル選局命令はハイパーテキスト転送プロトコル（ＨＴＴＰ）に従うＵＲＬ情報の形態で伝送できる。例えば、ユーザーが放送チャンネル１２番を選択したと仮定すると、「ＨＴＴＰ:／／１９２．１６８．１．１００：６５４３２／ｍｇａｔｅ／ｉｎｐｕｔ？ｔｕｎｅｒ=１２」の形態で放送チャンネル選局命令が伝送される。ハイパーテキスト転送プロトコルに従うＵＲＬ情報のうち、最後の１２番が放送チャンネル選局情報であり、その前のｔｕｎｅｒはビデオソース選択を指示する命令語である。後述するが、ビデオソースとしてＤＶＢＳをユーザーが選択したと仮定すると、ｔｕｎｅｒの位置にｃｏｍｐｏｓｉｔｅ命令語が位置する。
【００２４】
これに対しては後述するようにする。前述のようにハイパーテキスト転送プロトコルに従う放送チャンネル選局命令がメディアゲートウェイ１００に伝送されると、その放送チャンネル選局命令は通信プロトコル処理部１６７で解析されて命令処理部１６９に印加される。すなわち、命令処理部１６９は印加されたチャンネル選局情報１２をチューナー制御部１６１に伝達することによって、チューナー制御部１６１は放送チャンネル１２の選局が行われるように放送信号受信部１１０を制御する。
【００２５】
このような放送信号受信部１１０制御によって放送チャンネル１２を通じて伝播される放送信号が選局され、選局された放送信号はビデオ信号とオーディオ信号に分離されて、各々ビデオデコーダー１２０とＡ／Ｄ変換器１３０に印加される。したがって、表示可能な形態のビデオ信号とデジタル変換されたオーディオ信号がエムペグエンコーダー１４０に印加される。
【００２６】
一方、エムペグエンコーダー１４０に印加されたビデオ信号及びオーディオデータは動映像圧縮アルゴリズム、例えばエムペグ４アルゴリズムによってＡＶエンコードデータにエンコードされてストリームエンジン部１６５に出力される。それによって、ストリームエンジン部１６５ではフレーム単位に区画されてタイムスタンプ付きＡＶストリームデータを出力するようになる。
【００２７】
このようにタイムスタンプ付きＡＶストリームデータは、以後通信プロトコル処理部１６７でハイパーテキストまたはＲＴＰ転送プロトコルによって処理されてデータ通信部１５０である無線ＬＡＮ通信部を通じてクライアント２００に無線伝送される。
【００２８】
したがって、クライアント２００側のデジタルメディアアダプター（ＤＭＡ）は、受信したＡＶストリームデータをエムペグデコードしてＴＶに出力することによって、ユーザーはＴＶを通じて放送チャンネル１２番の映像を視聴できるようになる。
【００２９】
以下、多様なＡＶソース提供装置（ＤＶＤＰ、ＤＶＣＲ等）から提供されるビデオ信号（ＤＶＢＳ、Ｓ−Ｖｉｄｅｏ）を受信し、これを近距離に位置するクライアント機器２００、３００に無線伝送するメディアゲートウェイ１００について説明する。
【００３０】
まず、図３は図１に示したメディアゲートウェイ１００のもう一つの構成を示す図面である。図３と図２に示したメディアゲートウェイ１００の構成を対比してみると、ビデオソース選択部１７０及びオーディオソース選択部１８０と、それらの各々を制御するためのソース選択制御部１６２、ＩＲ送信部１９０及びＩＲ送信制御部１６８を除いては、図２に示した技術的構成と同様である。したがって、以下では新しく追加した技術的構成について詳細に説明する。
【００３１】
まず、ビデオソース選択部１７０は後述するソース選択制御部１６２の制御によって放送信号受信部１１０の出力と、一つ以上のビデオ信号入力端子（ＤＶＢＳ、Ｓ−Ｖｉｄｅｏ）を通じて入力されるビデオ信号を選択出力する。このようなビデオソース選択部１７０はビデオスイッチと命名することもある。
【００３２】
参考に、「一つ以上のビデオ信号入力端子」とは、ＤＶＢＳ信号入力端とＳ−Ｖｉｄｅｏ信号入力端を指し示すもので、下記ではＤＶＢＳ信号とＳ−Ｖｉｄｅｏ信号とを包括的な概念の「ビデオ信号」と命名するようにする。
【００３３】
オーディオソース選択部１８０もやはり、ソース選択制御部１６２の制御によって放送信号受信部１１０の出力オーディオまたは外部オーディオ信号を選択出力する。
【００３４】
一方、ソース選択制御部１６２を含むメーンプロセッサー１６０は、データ通信部１５０を通じて受信したハイパーテキスト転送プロトコル（ＨＴＴＰ）に従うクライアントの制御命令によって、いずれかのビデオ及びオーディオソース選択を制御し、選択したそのソースから得られたＡＶストリームデータをハイパーテキストまたはＲＴＰ転送プロトコルによって、データ通信部１５０を通じてクライアント２００、３００側のデータ通信部に伝送制御する役割を果たす。
【００３５】
このようなメーンプロセッサー１６０は、図２に示すメーンプロセッサーに含まれた基本構成の以外に、ソース選択制御部１６２をさらに含む。このソース選択制御部１６２は命令処理部１６９から伝送されたソース選択命令によって、ビデオソース選択部１７０とオーディオソース選択部１８０とのスイッチング制御を行う。
【００３６】
メーンプロセッサー１６０はＩＲ送信制御部１６８をさらに含むことができる。このようなＩＲ送信制御部１６８は命令処理部１６９から伝送されたＩＲ送信制御命令によってＩＲ送信部１９０を制御する。ＩＲ送信部１９０は前述したビデオ信号入力端（ＤＶＢＳ、Ｓ−Ｖｉｄｅｏにケーブル連結されたＡＶソース提供装置を遠隔調整するためのＩＲ信号を送信する。
【００３７】
参考に、ＩＲ送信制御命令はＤＶＤＰ、ＤＶＣＲのようなＡＶソース再生装置を遠隔制御するための遠隔調整信号を称するものである。最初にリモコンによって発生された信号はデジタルメディアアダプターを経て本発明の実施形態に係るメディアゲートウェイ１００に伝送される。
【００３８】
したがって、メディアゲートウェイ１００のメーンプロセッサー１６０は伝送された遠隔調整信号によってＩＲ送信部１９０を制御することによって、結果的にユーザーはＤＭＡとメディアゲートウェイ１００とを通じてＡＶソース再生装置を遠隔調整することができるようになる。
【００３９】
以下、図３に示したメディアゲートウェイ１００の動作について説明する。
【００４０】
まず、ユーザーがリモコンによってＳ−Ｖｉｄｅｏ入力選択のための命令をする。このような命令は放送チャンネル選択と、ＤＶＢＳ入力選択とに大別するので、ビデオソース選択命令に定義することができる。すなわち、ビデオソース選択命令はＴＶに接続されたデジタルメディアアダプター（ＤＭＡ）に受信された後、クライアントの制御命令の一つとして無線ＬＡＮ通信部を通じてメディアゲートウェイ１００に伝送される。デジタルメディアアダプターからメディアゲートウェイ１００に伝送されるビデオソース選択命令は、前述したようにハイパーテキスト転送プロトコル（ＨＴＴＰ）に従うＵＲＬ情報の形態で伝送される。これを例示すると、「ＨＴＴＰ:／／１９２．１６８．１．１００：６５４３２／ｍｇａｔｅ／ｉｎｐｕｔ?ｓｖｉｄｅｏ=１」の形態になることができる。
【００４１】
前述のように、ハイパーテキスト転送プロトコル（ＨＴＴＰ）に従うビデオソース選択命令がメディアゲートウェイ１００に伝送されると、そのビデオソース選択命令はＨＴＴＰ処理部１６７で解析されて命令処理部１６９に印加される。したがって、命令処理部１６９は印加されたビデオソース選択命令をソース選択制御部１６２に伝達することによって、ソース選択制御部１６２はＳ−Ｖｉｄｅｏ入力と外部オーディオ入力とが選択されるように、ビデオソース選択部１７０とオーディオソース選択部１８０とのスイッチング制御を行う。
【００４２】
それによって、Ｓ−Ｖｉｄｅｏ入力端を通じて入力されるビデオ信号はビデオソース選択部１７０を通じてビデオデコーダー１２０に印加されて表示可能な形態のビデオ信号にデコード処理された後、エムペグエンコーダー１４０に印加される。
【００４３】
そして、エムペグエンコーダー１４０では印加されたビデオ信号とデジタル変換されたオーディオデータを動映像圧縮アルゴリズムによってＡＶエンコードデータに処理してストリームエンジン部１６５に出力する。それによって、ストリームエンジン部１６５ではフレーム単位に区画されてタイムスタンプ付きＡＶストリームデータを出力する。
【００４４】
このようにタイムスタンプ付きＡＶストリームデータは、以後通信プロトコル処理部１６７でハイパーテキストまたはＲＴＰ転送プロトコルによって処理されてデータ通信部１５０の一例である無線ＬＡＮ通信部を通じてクライアント２００に無線伝送される。
【００４５】
したがって、クライアント２００側のデジタルメディアアダプター（ＤＭＡ）は、受信したＡＶストリームデータをエムペグデコードしてＴＶに出力することによって、ユーザーはビデオソース再生装置から再生出力されるＳ−Ｖｉｄｅｏ信号及び音声をＴＶを通じて視聴できるようになる。
【００４６】
なお、実施形態では説明しなかったが、前述したものと同様な方法によりＤＶＢＳ入力を選択して視聴することができる。
【００４７】
〔産業上の利用可能性〕
本発明の実施形態に係るメディアゲートウェイは、放送信号は勿論、ＤＶＢＳ、Ｓ−Ｖｉｄｅｏのような多様なチャンネルのビデオ信号をエンコードして離間しているＴＶまたはＰＣなどのクライアント機器に無線または有線伝送するので、ユーザーは多様なチャンネルから供給されるビデオ及びオーディオ信号を家庭で場所に拘らず便利に視聴できる便利さを提供することができる。
【００４８】
さらに、遠隔地に位置するメディアゲートウェイを通じてその周辺のＡＶソース再生装置を遠隔制御し、その遠隔制御により発生された信号を遠隔地で便利に視聴できる便利さも提供する。したがって、本発明の産業利用性はきわめて高いものといえる。
【００４９】
一方、本明細書内で本発明をいくつかの好ましい実施形態によって記述したが、当業者ならば、添付の特許請求範囲に開示した本発明の範疇及び思想から外れずに、多くの変形及び修正がなされ得ることがわかるはずである。
【図面の簡単な説明】
【００５０】
【図１】本発明の実施形態に係るメディアゲートウェイの周辺構成図である。
【図２】図１に示すメディアゲートウェイの詳細構成図である。
【図３】図１に示すメディアゲートウェイのもう一つの詳細構成図である。
【符号の説明】
【００５１】
１００    メディアゲートウェイ
１１０    放送信号受信部
１２０    ビデオデコーダー
１３０    Ａ／Ｄ変換器
１４０    ＭＰＥＧエンコーダー
１５０    データ通信部
１６０    メーンプロセッサー
２００    ＴＶ
３００    ＰＣ
【図１】
2008514153.tif 000003
【図２】
2008514153.tif 000004
【図３】
2008514153.tif 000005
【国際調査報告】
2008514153.tif 000006
2008514153.tif 000007